(57)【要約】【課題】この発明は、電解液を用いた蓄電池を如何なる状態にしても、例えこれを上下逆転するように転倒しても電解液の漏れ出しのないようにした蓄電池の二重蓋排気構造を得ようとするものである。【解決手段】蓋本体１１と上蓋１２で形成される蓄電池用二重蓋排気構造３０において、蓋本体１１の内側に、電槽１００のセル室に対応して区画する蓋本体隔壁３３を設けるとともに排気通路を形成し、該排気通路の底面に電槽の各セル室内に対応して２個のガス排気孔２０，２１をそれぞれ設け、そのガス排気孔の一方にはセル室に向けて長く伸びる長筒２３を、他方のガス排気孔には同様のセル室に向けて短く伸びる短筒２４を取り付け、その長筒２３および短筒２４の上端面を互いに同一面とした蓄電池用二重蓋排気構造である。【選択図】      なし【特許請求の範囲】
【請求項１】
蓋本体と上蓋で形成される蓄電池用二重蓋排気構造において、
蓋本体の内側に、電槽のセル室に対応して区画する蓋本体隔壁を設けるとともに排気通路を形成し、
該排気通路の底面に電槽の各セル室内に対応して２個のガス排気孔をそれぞれ設け、
そのガス排気孔の一方にはセル室に向けて長く伸びる長筒を、他方のガス排気孔には同様のセル室に向けて短く伸びる短筒を取り付け、その長筒および短筒の上端面を互いに同一面としたことを特徴とする蓄電池用二重蓋排気構造。
【請求項２】
前記ガス排気孔を、排気通路の一部を掘り下げて区画した窪地の底面に設けたことを特徴とする請求項１記載の蓄電池用二重蓋排気構造。
【請求項３】
前記蓋本体の内側に防沫板を設けたことを特徴とする請求項１記載の蓄電池用二重蓋排気構造。
【発明の詳細な説明】
【技術分野】
【０００１】
この発明は、蓄電池の電槽に施される蓄電池用の二重蓋排気構造に関するものである。
【背景技術】
【０００２】
二重蓋排気構造は、従来から鉛蓄電池の電槽などに採用されおり、蓄電池内部で発生したガスから電解液を除去して外部に排出するのに使用されている。こうしたものとして、蓄電池上部に排気室を形成し、該排気室内に排気室内を区分することのない様に隙間を形成した防沫板を形成して該排気室内に迷路を形成すると共に、該排気室に蓄電池の発生ガスを該排気室内に導入する導入孔と該排気室の上部の該排気室からガスを排出する排出孔と、該排気室の下端部に排気室内に侵入した液を還流する液還流孔を設け、かつ、該排気室底面を液還流孔に向かって下方傾斜する傾斜面とすると共に、防沫板も隙間と液還流孔側に向かって傾斜するよう形成したものが公知である（例えば、特許文献１。）。
【０００３】
また、蓄電池を横転した際に、各蓄電池のセル室から流出する電解液を収容する各室構造部がそれぞれ蓄電池のセル室との連絡用入り口及び通気口との連絡用出口を有しており、室構造部へ流入する電解液水位の上昇が室構造部入り口で停止し、収容された電解液水位が該室構造部出口からは隔離されるようになっている蓄電池用の液漏れ防止装置が公知である（例えば、特許文献２）。
【特許文献１】特開２００４−１７２０９９号公報（請求項１）
【特許文献２】特開昭５７−１４３２６１号公報（請求項１）
【発明の開示】
【発明が解決しようとする課題】
【０００４】
しかしながら、特許文献１及び特許文献２の蓄電池排気構造及び蓄電池用液漏れ防止装置は、蓄電池を上下に真逆さまにしたような場合でも電解液の漏れを避けることが出来るようなものではなかった。鉛蓄電池は振動などで傾いて電解液の漏れなどが発生することがあるが、使用中に真逆さまにすることはあまりない。しかし、輸送その他の場合は蓄電池がそうした状態となることもない訳ではなかった。
【０００５】
この発明は、電解液を用いた蓄電池を如何なる状態にしても、たとえこれを真逆さまに転倒しても電解液の漏れ出しを防ぐ難漏性を向上させた蓄電池の二重蓋排気構造を得ようとするものである。
【課題を解決するための手段】
【０００６】
この発明は、蓋本体と上蓋で形成される蓄電池用二重蓋排気構造において、蓋本体の内側に、電槽のセル室に対応して区画する蓋本体隔壁を設けるとともに排気通路を形成し、該排気通路の底面に電槽の各セル室内に対応して２個のガス排気孔をそれぞれ設け、そのガス排気孔の一方にはセル室に向けて長く伸びる長筒を、他方のガス排気孔には同様のセル室に向けて短く伸びる短筒を取り付け、その長筒および短筒の上端面を互いに同一面としたことを特徴とする蓄電池用二重蓋排気構造（請求項１）、前記ガス排気孔を、排気通路の一部を掘り下げて区画した窪地の底面に設けたことを特徴とする請求項１記載の蓄電池用二重蓋排気構造（請求項２）及び前記蓋本体の内側に防沫板を設けたことを特徴とする請求項１記載の蓄電池用二重蓋排気構造である。
【発明の効果】
【０００７】
この発明によれば、蓄電池を真逆さまにしても、電槽の電解液が排気室に漏れるのを防止することができ、蓄電池の振動などによっては電解液の漏れはより確実に防止することができるものである。しかも、この発明によれば蓄電池内で発生した排気ガスは、従来と同じように排気室の排気通路からフイルターを経て安全に外部に排出されるものである。
【発明を実施するための最良の形態】
【０００８】
この発明の二重蓋排気構造を有する鉛蓄電池は、図５に示すように電槽１００とこれに熱融着されて施された蓋本体１１と上蓋１２とからなる二重蓋とからなる。電槽１００の内部は図示されていないが、隔壁により６個のセル室に区画され、各セル室には正負極板をセパレータを介して交互に積層した極板群が収納され、かつ多量の電解液が注液されている。この構成は従来と同様で相違する点はない。電槽の開口部には蓋本体１１が熱融着され、その上の一部に上蓋が熱融着されている。図５で蓋本体１１の上面に突出しているのは正負極端子１３，１４である。
【０００９】
図２は蓋本体１１の上面図、図１は上蓋１２の裏面図である。蓋本体１１の上面には排気通路用凹部１５が形成されている。この凹部１５の一部に更に一段と深く窪んだ窪み部１６が設けてある。この一段と深く窪んだ窪み部１６の底面にガス排気孔２０，２１が各セル室に対応して二個ずつ形成されている。この二つのガス排気孔２０，２１の一方にはセル室に向けて長く伸びる長筒２３を設け、また他方のガス排気孔には同様のセル室に向けて短く伸びる短筒２４を取り付け、その長筒２３および短筒２４の上端面を互いに同一面とするものである。この状態はその要部を拡大して図３（Ａ）に示されている。図３（Ａ）１で１８は外部排出孔、１９は防沫板である。なお、凹部１５内は壁（凹部内壁）２５により区画されている。
【００１０】
一方、図１に示す上蓋１２の裏面も、蓋本体と同様に壁２６（凹部内壁）により区画されていて、これを蓋本体１１の排気通路用凹部１５に重ねて互いに融着することでこの間で排気室が形成されるようにする。上蓋１２の裏面には左右両面にはフイルター１７，１７が、円形のフイルター収納部２７に収納されて取り付けられ、その端部が外部排出孔１８，１８と連結されている。
【００１１】
そして蓄電池内でガスが発生すると、ガスは蓋本体１１の底面の一段と窪んだ窪み部１６に設けたガス排気孔２０，２１から、排気通路用凹部１５内に入り、Ｐの字状に形成された壁２５，２６に沿って周回して、上蓋１２の左右両面に形成されたフイルター１７，１７を通って外部排出孔１８，１８より外部へ安全に排出されるものである。図４は上蓋の側面図である。図４に示すように防沫板１９は上蓋裏面に突出して形成され、この防沫板１９のテーパ部が蓋本体のガス排気用の長筒及び短筒近傍に設けられた壁２５に対峙して形成された双璧２８に嵌合して融着し、その下端と蓋本体のガス排気孔が形成された底面との間に隙間を形成するようにする。
【００１２】
このように形成された二重蓋排気構造は、蓄電池が上下真逆さまに転倒した場合に、蓄電池内の電解液が長筒２３及び短筒２４の両者の孔を塞ぐために気液の置換が行い得なくなり、電槽内の電解液がこれらの孔を通って蓋本体の凹部内に漏れ出ることがなくなるものである。この状態を図３に基づいて更に説明する。
【００１３】
図３は蓄電池構造を正立或いは転倒させた場合のガス排気孔の状態を示したもので、（Ａ）は蓄電池を正立させた場合の二重蓋排気構造３０のガス排気孔の状態を示したものである。同図（Ａ）で１００が電槽、３１が電槽１００内を区画する隔壁、１１が蓋本体、３３が蓋本体隔壁で、電槽１００の隔壁３１と互いに向き合い熱融着されている。１２が上蓋、１５が排気通路用凹部、１８が外部排気孔である。１９は防沫板である。２３は、二つのガス排気孔の一方に取り付けられた長筒２３、２４は他方のガス排気孔に取り付けられた短筒で、いずれも同一のセル室に向けて取り付けられ、その長筒および短筒の上端面を互いに同一面とするものである。この状態では、充放電により電槽内からガスが発生した場合は、ガス排気孔から凹部１５に侵入し、Ｐの字型の壁に沿い周回しながら上蓋のフイルターを通って外部排出孔１８から排出されるものである。なお、電槽１００内には電解液が注入されているが図示していない。
【００１４】
また、この蓄電池が上下逆さまに転倒した場合は、電槽内の電解液は図３（Ｂ）のように、長筒及び短筒の上面が同一平面に形成されているので、気液の置換を行うことができず互いにバランスして止まって、電槽内の電解液２９が凹部１５に漏れ出ることがない。そして、蓄電池を再び正立の位置に戻すと図３（Ｃ）のようになり、ガス排気孔２０，２１の長筒２３および短筒２４内の電解液は電槽内に還流して、凹部１５に残留するようなことはない。
【００１５】
以上のように、この発明の二重排気構造によると蓄電池を真逆さまの横転状態にしても電解液が外部に漏洩するようなことなく、蓄電池内部で発生したガスは液を伴うことなく安全に外部に排出することが出来る。
【図面の簡単な説明】
【００１６】
【図１】図１は、この発明になる二重蓋排気構造の上蓋の裏面を示す正面図。
【図２】図２は、この発明の二重蓋排気構造の蓋本体の上面図。
【図３】図３は、この発明の二重蓋排気構造を正位置或いは上下転倒した場合の要部を示した説明図。
【図４】図４は、この発明の二重蓋排気構造の上蓋の側面図。
【図５】図５は、蓄電池の斜視図。
【符号の説明】
【００１７】
１１‥蓋本体、１２‥上蓋、１３，１４‥正負極端子、１５‥排気通路用凹部、１６‥窪み部、１７‥フイルター、１８‥外部排出孔、１９‥防沫板、２０，２１‥ガス排気孔、２３‥長筒、２４‥短筒、３０‥二重蓋排気構造、３１‥隔壁、３３‥蓋本体隔壁、１００‥電槽。
【図１】
2008177042.tif 000002
【図２】
2008177042.tif 000003
【図３】
2008177042.tif 000004
【図４】
2008177042.tif 000005
【図５】
2008177042.tif 000006